(57)【要約】【課題】客単価を上げると共に注文頻度を向上させることができる商品注文管理方法及びシステムを提供する。【解決手段】オーダリングコントローラ１は、セルフオーダ端末３からオーダデータを受信すると（Ｓ１）、オーダ内容を記憶し、催促フラグを０に設定する（Ｓ２）。会計処理されていなければ（Ｓ４）、最終オーダ時刻からオーダ催促監視時間を超過しているかどうか監視し（Ｓ５）、超過している場合、催促フラグを参照し、催促フラグが０（催促通知無し）の場合は、Ｎｏ１のお勧め部門Ｎｏを選択する（Ｓ６）。顧客からまだ注文されていないメニューを選択し（Ｓ７）、オーダ催促通知データとして端末へ送信し、催促フラグに１を加算する（Ｓ８）。追加のオーダデータを受信したか確認し（Ｓ９）、追加オーダを受信した場合は、催促フラグを０に設定する。【選択図】図３
2005190131.tif 000002
【特許請求の範囲】
【請求項１】
店舗における商品の注文を入力可能な複数の端末と通信可能に構成され商品の注文を管理する注文管理装置による商品注文管理方法であって、
記憶手段に督促通知回数を示す督促フラグを有するオーダファイルを記憶し、
前記端末で注文が最後に入力されてからの経過時間を監視し、
予め設定した監視時間の経過後も前記端末で追加注文が入力されない場合に、前記オーダファイルの督促フラグの値に応じて優先順位の高い商品を推奨する注文催促通知を前記端末に送信することを特徴とする商品注文管理方法。
【請求項２】
前記注文管理装置により、注文済みの商品を除いた商品を推奨する前記注文催促通知を前記端末に送信することを特徴とする請求項１記載の商品注文管理方法。
【請求項３】
前記複数の端末は、前記店舗の客席毎にそれぞれ設置され表示機能を有する顧客用端末と、前記店舗の顧客係員毎にそれぞれ所持され表示機能を有する係員用端末とを含み、
前記注文管理装置により、前記顧客用端末又は前記係員用端末に、前記注文催促通知を送信することを特徴とする請求項１又は２記載の商品注文管理方法。
【請求項４】
店舗における商品の注文を入力可能な複数の端末と、前記複数の端末と通信可能に構成され商品の注文を管理する注文管理装置とを備え、
前記注文管理装置は、督促通知回数を示す督促フラグを有するオーダファイルを記憶する記憶手段と、
前記端末で注文が最後に入力されてからの経過時間を監視する監視手段と、
予め設定した監視時間の経過後も前記端末で追加注文が入力されない場合に、前記オーダファイルの督促フラグの値に応じて優先順位の高い商品を推奨する注文催促通知を前記端末に送信する注文管理手段とを備えることを特徴とする商品注文管理システム。
【請求項５】
前記注文管理手段は、注文済みの商品を除いた商品を推奨する前記注文催促通知を前記端末に送信することを特徴とする請求項４記載の商品注文管理システム。
【請求項６】
前記複数の端末は、前記店舗の客席毎にそれぞれ設置され表示機能を有する顧客用端末と、前記店舗の顧客係員毎にそれぞれ所持され表示機能を有する係員用端末とを含み、
前記注文管理手段は、前記顧客用端末又は前記係員用端末に、前記注文催促通知を送信することを特徴とする請求項４又は５記載の商品注文管理システム。
【請求項７】
店舗における商品の注文を入力可能な複数の端末と通信可能に構成され商品の注文を管理する注文管理装置の制御プログラムであって、
記憶手段に督促通知回数を示す督促フラグを有するオーダファイルを記憶する機能と、
前記端末で注文が最後に入力されてからの経過時間を監視する機能と、
予め設定した監視時間の経過後も前記端末で追加注文が入力されない場合に、前記オーダファイルの督促フラグの値に応じて優先順位の高い商品を推奨する注文催促通知を前記端末に送信する機能とをコンピュータに実現させるための商品注文管理プログラム。
【発明の詳細な説明】
【技術分野】
【０００１】
本発明は、飲食店等の店舗において顧客が端末から商品の注文を入力可能とし、端末を介して顧客の注文を管理する商品注文管理方法に関する。
【背景技術】
【０００２】
近年、飲食店等の外食産業の動向として、顧客に対するサービスを低下させずに店員を削減したい、新しい店内オペレーションにより来店客を増やしたい等の理由から、各テーブル等に備え付けることで顧客自身により注文内容を入力可能とする入力端末（以下、セルフオーダ端末と称する）を導入する店舗が増えてきている。
【０００３】
上記のセルフオーダ端末に関する従来技術としては、注文データの入力中に注文データの入力を中断した場合、中断時刻データを記憶し、警告時間を経過したことに応じて注文データの入力を促す警告を出力する技術が提案されている（例えば、特許文献１参照）。
【０００４】
また、別の従来技術としては、注文入力端末において、メニューの注文入力画面に、事前に集計されているその客層に合った複数のお薦めメニューを先頭に表示する技術が提案されている（例えば、特許文献２参照）。
【特許文献１】特開平５−９４４５６号公報
【特許文献２】特開２００３−６７４８号公報
【発明の開示】
【発明が解決しようとする課題】
【０００５】
しかしながら、飲食店等の店舗において上記のようなセルフオーダ端末を導入した場合、顧客がテーブルに着席した時点で店員が注文を取りに来る場合と比較すると、顧客が主体となって注文内容をセルフオーダ端末から入力することになるため、注文に時間がかかりやすい。また、顧客がセルフオーダ端末の操作に不慣れな場合は、注文内容の入力に手間がかかる。その結果、商品の注文数が減ったり、店舗内の顧客の滞在時間が長くなってしまうことにより、客単価が下がる傾向がある。
【０００６】
そこで本発明は、客単価を上げると共に注文頻度を向上させることができる商品注文管理方法及びシステム並びにそのプログラムを提供することを目的とする。
【課題を解決するための手段】
【０００７】
上述の課題を解決するため、本発明は、店舗における商品の注文を入力可能な複数の端末と、前記複数の端末と通信可能に構成され商品の注文を管理する注文管理装置とを備え、前記注文管理装置は、督促通知回数を示す督促フラグを有するオーダファイルを記憶する記憶手段と、前記端末で注文が最後に入力されてからの経過時間を監視する監視手段と、予め設定した監視時間の経過後も前記端末で追加注文が入力されない場合に、前記オーダファイルの督促フラグの値に応じて優先順位の高い商品を推奨する注文催促通知を前記端末に送信する注文管理手段とを備えることを特徴とする。
【０００８】
以上の構成によって、端末により注文が最後に入力されてから所定時間経過後も追加注文の入力がない場合に注文催促通知を送信する制御が行われることで、従来のような、注文に時間がかかる不具合や、店舗内の顧客の滞在時間が長くなる不具合が解消される。
【発明の効果】
【０００９】
本発明によれば、注文催促通知を端末に送信することにより、顧客からの追加注文の機会を増やすことが可能となり、客単価を上げることが可能となる。
【００１０】
さらに、オーダファイルの督促フラグの値に応じて優先順位の高い商品を顧客に勧めるので、粗利益の高い商品を優先的に登録しておくことにより、これらの商品の注文頻度を向上させることができる。
【００１１】
また、顧客が注文済みの商品は通知しないため、顧客に対してしつこさを与えることがなく、注文頻度を更に向上させることが可能となる。
【００１２】
注文催促通知の送信先が係員用端末の場合、客席（特に離れた客席、個室、座敷席等）に対する、サービス（例えば追加注文を顧客に伺ったり飲食後の食器片付けをしたりする等）を向上させることが可能となる。また、係員用端末を所持した店員が、同じ客席を担当するようにすれば、顧客に対して安心感を与えることが可能となる。
【発明を実施するための最良の形態】
【００１３】
次に、本発明の最良の形態について図面を参照して説明する。
【実施例】
【００１４】
（１）本実施例の構成を説明する。図１は、本実施例のオーダリングシステムの構成を示す図である。オーダリングシステムは、例えば飲食店等の店舗に設置されており、オーダリングコントローラ１、無線通信制御器２、セルフオーダ端末３、ハンディターミナル４、ＰＯＳレジスタ５、キッチンプリンタ６、キッチンディスプレイ７から構成されている。
【００１５】
オーダリングコントローラ１は、オーダリングシステム全体を管理し制御する。無線通信制御器２は、オーダリングコントローラ１とセルフオーダ端末３及びハンディターミナル４との間の無線通信を行う。セルフオーダ端末３は、例えば店舗内の各テーブルに備え付けられており、顧客が注文内容を入力するための、例えばタッチパネル式の操作部、表示部、音声出力部（例えばブザー等）を備えている。
【００１６】
ハンディターミナル４は、顧客担当店員がそれぞれ所持するものであり、店員が顧客からの注文内容を入力するための、例えばタッチパネル式の操作部、表示部、音声出力部（例えばブザー等）を備えている。ＰＯＳレジスタ５は、会計処理を行うレジスタであり、オーダリングコントローラ１と接続されている。キッチンプリンタ６は、店舗内の厨房に設置されており、注文内容を示す伝票を印刷出力する。キッチンディスプレイ７は、店舗内の厨房に設置されており、注文内容を示す画面を表示する。
【００１７】
図２は、オーダリングコントローラ１を中心としたシステム構成を示すブロック図である。オーダリングコントローラ１は、制御部１１、記憶部１２、インタフェース部１３、インタフェース部１４、インタフェース部１５を備えている。
【００１８】
制御部１１は、オーダリングコントローラ１各部を制御するものであり、制御プログラムに従い図３のフローチャートに示す処理を実行する。記憶部１２は、図４に示すオーダファイル、図５に示すオーダ催促監視時間、オーダ催促配信品数、図６に示すメニューマスタファイル、図７に示す部門マスタファイル、図８に示すお勧め部門マスタファイル等を記憶する。インタフェース部１３は、無線通信制御器２との間のインタフェースを司る。インタフェース部１４は、ＰＯＳレジスタ５との間のインタフェースを司る。インタフェース部１５は、キッチンプリンタ６、キッチンディスプレイ７との間のインタフェースを司る。
【００１９】
（２）次に、本実施例の動作を説明する。店舗に来店した顧客が、テーブルに備え付けられているセルフオーダ端末３により注文する商品を入力し、送信ボタンを押下することでオーダデータを送信する。これにより、セルフオーダ端末３から発信されたオーダデータは、無線通信制御器２を介してオーダリングコントローラ１へ送信される。
【００２０】
オーダリングコントローラ１の制御部１１は、セルフオーダ端末３からオーダデータを受信すると（ステップＳ１）、オーダ内容を図４に示すようなオーダファイルとして、ＰＯＳレジスタ５で当該顧客の会計処理を終了する時点まで、記憶部１２に記憶する。この場合、顧客の追加注文に伴う追加オーダは、元になるオーダファイルにリンクされる形で記憶される。このオーダファイルには、催促フラグを設定する。この催促フラグは、オーダリングコントローラ１がセルフオーダ端末３から、初期オーダ、追加オーダを受信する毎に０（催促通知なし）で記憶される（ステップＳ２）。
【００２１】
図４のオーダファイルは、注文を行った顧客に対応する伝票Ｎｏ、顧客が着席したテーブルを識別する卓番、端末を識別する端末Ｎｏ（端末Ｎｏ１−ＸＸ：ハンディターミナルＮｏ、Ｎｏ２−ＸＸ：セルフオーダ端末Ｎｏ）、当該テーブルに着席した顧客の人数、顧客が商品を注文した時刻を示すオーダ時刻、顧客に注文を催促するオーダ催促通知の有無を示す催促フラグ（０：催促通知無し、０以外：催促通知回数）、店舗で扱うメニューを識別するメニューＮｏ、顧客の追加注文の時刻を示す追加オーダ時刻を対応付けたものである。
【００２２】
次に、制御部１１は、セルフオーダ端末３から受信したオーダ内容に基づき、伝票印刷用データと表示用データを作成し、キッチンプリンタ６とキッチンディスプレイ７へ各データをそれぞれ送信する（ステップＳ３）。これにより、キッチンプリンタ６からは伝票が印刷出力され、キッチンディスプレイ７にはオーダ内容が表示される。
【００２３】
ここで、オーダリングコントローラ１の記憶部１２には、図５に示すオーダ催促監視時間と、オーダ催促配信品数が予め設定されている。また、記憶部１２には、図６に示すメニューマスタファイルと、図７に示す部門マスタファイルが予め格納されている。
【００２４】
図６のメニューマスタファイルは、メニューを識別するメニューＮｏ、メニュー名称、単価、部門Ｎｏを対応付けたものである。図７の部門マスタファイルは、各種メニューを部門別（揚げ物、焼き物、煮物・・・）に分類した部門Ｎｏ、部門名称を対応付けたものである。
【００２５】
次に、制御部１１は、ＰＯＳレジスタ５で顧客のオーダファイルが会計処理されたかどうかを確認する（ステップＳ４）。会計処理されていれば、当該オーダファイルを消去して処理を終了する。会計処理されていなければ、制御部１１は、セルフオーダ端末３で当該顧客の注文内容が最後に入力された時刻である最終オーダ時刻から、図５のオーダ催促監視時間を超過しているかどうか監視し（ステップＳ５）、オーダ催促監視時間すなわち設定時間を超過していると判断した場合、図４のオーダファイルにおける最終オーダの催促フラグを参照し、催促フラグが０（催促通知無し）の場合は、図８に示すお勧め部門マスタファイルのＮｏ１のお勧め部門Ｎｏを選択する（ステップＳ６）。尚、お勧め部門Ｎｏは、図７の部門マスタファイルの部門Ｎｏを指し示している。
【００２６】
制御部１１は、選択したお勧め部門Ｎｏに該当するメニューを図６のメニューマスタファイルからメニューＮｏ順に検索し、顧客からまだ注文されていないメニューを図５のオーダ催促配信品数に設定されている品数分選択する（ステップＳ７）。
【００２７】
制御部１１は、選択したメニューを、図９に示すオーダ催促通知データ（お勧めメニュー）として、図４のオーダファイル内に記録されている端末Ｎｏを有する端末へ無線通信制御器２を介して送信する。また、制御部１１は、図４のオーダファイル内の最終オーダに該当する催促フラグに１を加算する（ステップＳ８）。
【００２８】
オーダ催促通知データの送信先がセルフオーダ端末３の場合、オーダリングコントローラ１からオーダ催促通知データを受信したセルフオーダ端末３は、図１０に示すオーダ催促通知表示を、図１１に示すオーダ催促通知表示時間だけ表示部に表示し、図１１に示すオーダ通知着信音設定に基づきブザーにより着信音を鳴らす。セルフオーダ端末３は、図１１のオーダ通知着信音設定（０：着信時のみ、０以外：着信音間隔値）で０以外が設定されている場合は、操作者がセルフオーダ端末３の表示部の画面をタッチ操作するまでブザーにより着信音を鳴らす。
【００２９】
オーダ催促通知データの送信先がハンディターミナル４の場合、制御部１１は、図１２に示すオーダ催促通知データをハンディターミナル４へ送信する。また、制御部１１は、図４のオーダファイル内の最終オーダに該当する催促フラグに１加算する。オーダリングコントローラ１からオーダ催促通知データを受信したハンディターミナル４は、図１３に示すお勧めメニューを表示し、ブザーによりオーダ催促データ着信音を鳴らし、店員がハンディターミナル４の表示部の画面表示を解除するまで表示を続ける。尚、ハンディターミナル４では図１１に示す設定は持たない。
【００３０】
制御部１１は、セルフオーダ端末３またはハンディターミナル４から、追加のオーダデータを受信したか確認し（ステップＳ９）、追加オーダを受信した場合は、ステップ２に戻り、催促フラグを０に設定する。追加オーダを受信しない場合は、ステップ４に戻り、当該顧客のオーダファイルが会計処理されたかどうかを確認し、以降の処理を続ける。
【００３１】
以上説明したように本実施例によれば、セルフオーダリングシステムを導入している店舗において、オーダリングコントローラ１により、顧客の注文内容が最後に入力されてからどれくらい経過したのかを監視し、予め設定されているオーダ催促監視時間を経過しても、顧客から追加注文が入らない場合に、特定のメニュー選択方式により注文を催促するメニューを選択し、セルフオーダ端末３またはハンディターミナル４に対しオーダ催促通知を送信することにより、セルフオーダ端末３またはハンディターミナル４でオーダ催促通知のメッセージを表示する。
【００３２】
これにより、セルフオーダ端末３へオーダ催促通知を送信し、セルフオーダ端末３でオーダ催促通知のメッセージを表示する場合においては、顧客からの追加注文の機会を増やすことが可能となり、客単価を上げることが可能となる。また、顧客が注文済みのメニューは通知しないため、顧客に対してしつこさを与えることがなく、注文頻度を更に向上させることが可能となる。
【００３３】
また、ハンディターミナル３へオーダ催促通知を送信し、ハンディターミナル４でオーダ催促通知のメッセージを表示する場合においては、店員への通知となるため、客席（特に離れた客席、個室、座敷席等）に対する、サービス（例えば追加注文を顧客に伺ったり飲食後の食器片付けをしたりする等）を向上させることが可能となる。また、ハンディターミナルを所持した店員が、同じ客席を担当するようにすれば、顧客に対して安心感を与えることが可能となる。
【００３４】
また、店舗では、オーダリングコントローラ１の記憶部１２に対し、例えば調理効率の良いメニューや粗利益の高いメニューを優先的に登録しておくことにより、これらメニューの注文頻度の向上につなげることが可能となる。
【図面の簡単な説明】
【００３５】
【図１】本発明の実施例のオーダリングシステムの構成を示す概略図である。
【図２】オーダリングコントローラを中心としたシステム構成を示すブロック図である。
【図３】オーダリングコントローラの動作を示すフローチャートである。
【図４】オーダファイルを示す図である。
【図５】オーダ催促監視時間、オーダ催促配信品数を示す図である。
【図６】メニューマスタファイルを示す図である。
【図７】部門マスタファイルを示す図である。
【図８】お勧め部門マスタファイルを示す図である。
【図９】オーダ催促通知データを示す図である。
【図１０】オーダ催促通知表示を示す図である。
【図１１】オーダ催促通知表示時間、オーダ催促通知着信音設定を示す図である。
【図１２】オーダ催促通知データを示す図である。
【図１３】お勧めメニューの表示例を示す図である。
【符号の説明】
【００３６】
１  オーダリングコントローラ
２  無線通信制御器
３  セルフオーダ端末
４  ハンディターミナル
５  ＰＯＳレジスタ
６  キッチンプリンタ
７  キッチンディスプレイ
１１  制御部
１２  記憶部
【図１】
2005190131.tif 000003
【図２】
2005190131.tif 000004
【図３】
2005190131.tif 000005
【図４】
2005190131.tif 000006
【図５】
2005190131.tif 000007
【図６】
2005190131.tif 000008
【図７】
2005190131.tif 000009
【図８】
2005190131.tif 000010
【図９】
2005190131.tif 000011
【図１０】
2005190131.tif 000012
【図１１】
2005190131.tif 000013
【図１２】
2005190131.tif 000014
【図１３】
2005190131.tif 000015